(57)【要約】【課題】  素材ファイルへのプロファイルの組み込み、関連付けにより複数素材ファイルを一括してカラーマネジメント処理するデータベースシステム等を提供する。【解決手段】  ユーザは、商品情報データベースの素材ファイルに組み込まれたプロファイルを用いて、素材ファイルの変換出力時、複数の素材ファイルに対し、プロファイルデータを用いて一括してカラーマネジメントを行う。プロファイルが組み込まれていない素材ファイルは、商品情報データベースに登録する際、データベースに登録されているプロファイルを関連付ける。【選択図】  図１０
2006270341.tif 000002
【特許請求の範囲】
【請求項１】
登録利用者の端末装置と、サーバとがネットワークを介して接続されるシステムであって、
前記サーバは、
画像、前記画像のプロファイルデータを含む情報を複数保持するデータベースと、
複数の前記画像に対して、一括して前記プロファイルデータを用いてカラーマネジメントを行うカラーマネジメント手段と、
を具備することを特徴とするデータベースシステム。
【請求項２】
前記カラーマネジメント手段は、前記画像を出力する機器に対応して、前記プロファイルデータを用いて複数の前記画像の色情報を変換することを特徴とする請求項１記載のデータベースシステム。
【請求項３】
前記カラーマネジメント手段は、前記画像に前記プロファイルデータを組み込むことを特徴とする請求項１記載のデータベースシステム。
【請求項４】
前記カラーマネジメント手段は、前記データベースに前記プロファイルデータを登録、変更、削除することを特徴とする請求項１記載のデータベースシステム。
【請求項５】
前記カラーマネジメント手段は、前記プロファイルデータが組み込まれていない前記画像に、前記データベースに登録されている前記プロファイルデータを関連付けることを特徴とする請求項１記載のデータベースシステム。
【請求項６】
登録利用者の端末装置と、ネットワークを介して接続されるサーバであって、
画像、前記画像のプロファイルデータを含む情報を複数保持するデータベースと、
複数の前記画像に対して、一括して前記プロファイルデータを用いてカラーマネジメントを行うカラーマネジメント手段と、
を具備することを特徴とするサーバ。
【請求項７】
前記カラーマネジメント手段は、前記画像を出力する機器に対応して、前記プロファイルデータを用いて複数の前記画像の色情報を変換することを特徴とする請求項６記載のサーバ。
【請求項８】
前記カラーマネジメント手段は、前記画像に前記プロファイルデータを組み込むことを特徴とする請求項６記載のサーバ。
【請求項９】
前記カラーマネジメント手段は、前記データベースに前記プロファイルデータを登録、変更、削除することを特徴とする請求項６記載のサーバ。
【請求項１０】
前記カラーマネジメント手段は、前記プロファイルデータが組み込まれていない前記画像に、前記データベースに登録されている前記プロファイルデータを関連付けることを特徴とする請求項６記載のサーバ。
【請求項１１】
コンピュータを請求項６記載のサーバとして機能させるプログラム。
【請求項１２】
コンピュータを請求項６記載のサーバとして機能させるプログラムを記録した記録媒体。
【発明の詳細な説明】
【技術分野】
【０００１】
本発明は、ネットワークを利用したデータベースシステムにおいて、プロファイルデータを用いた複数の素材ファイルに対する一括したカラーマネジメント処理方法に関する。
【背景技術】
【０００２】
近年、カタログ制作を行う際、コンピュータの普及に伴い、カタログに載せる商品データをデータベース化して利用している。データベースと連携し、デスクトップパブリッシング（ＤＴＰ）等でカタログ制作作業を行い、その効率化が図られてきている。例えば、商品情報を蓄積したデータベースと、データベースの情報を管理し、データベースの情報の入出力、検索、閲覧等の機能を提供するサーバと複数のユーザ端末装置等からなるデータベースシステムがある。（例えば、特許文献１参照）
【０００３】
【特許文献１】特開２００１−３０６３７７号公報
【発明の開示】
【発明が解決しようとする課題】
【０００４】
しかしながら、商品情報と画像等の素材ファイルをＤＴＰにそのまま利用する際、印刷機器等の出力装置のプロファイルに合わせて素材ファイルの色情報を変換するため、画像処理用のアプリケーションを用いて１ファイルずつ手作業で変換する必要があり、作業効率が悪い。
【０００５】
本発明は、このような問題に鑑みてなされたもので、その目的とするところは
素材ファイルへのプロファイルの組み込み、関連付けにより複数素材ファイルを一括してカラーマネジメント処理するデータベースシステム等を提供することにある。
【課題を解決するための手段】
【０００６】
前述した目的を達成するために第１の発明は、登録利用者の端末装置と、サーバとがネットワークを介して接続されるシステムであって、前記サーバは、画像、前記画像のプロファイルデータを含む情報を複数保持するデータベースと、複数の前記画像に対して、一括して前記プロファイルデータを用いてカラーマネジメントを行うカラーマネジメント手段と、を具備することを特徴とするデータベースシステムである。
【０００７】
サーバは、画像を出力する印刷機器のような出力機器に対応して、画像に組み込まれたプロファイル、あるいは、関連付けられたプロファイルを用いて、複数の画像の色情報を一括して変換出力する。
画像には、使用した出力機器用のプロファイルを組み込むことができる。プロファイルが組み込まれていない素材ファイルをデータベースに登録する場合、データベースに登録されているプロファイルを関連付けることもできる。
【０００８】
カラーマネジメントのために使用するプロファイルは、ユーザは端末装置から自由に商品情報データベースに登録、変更、削除することができる。
【０００９】
第２の発明は、登録利用者の端末装置と、ネットワークを介して接続されるサーバであって、画像、前記画像のプロファイルデータを含む情報を複数保持するデータベースと、複数の前記画像に対して、一括して前記プロファイルデータを用いてカラーマネジメントを行うカラーマネジメント手段と、を具備することを特徴とするサーバである。
【００１０】
第３の発明は、コンピュータを第２の発明のサーバとして機能させるプログラムである。
【００１１】
第４の発明は、コンピュータを第２の発明のサーバとして機能させるプログラムを記録した記録媒体である。
【発明の効果】
【００１２】
本発明によれば、素材ファイルへのプロファイルの組み込み、関連付けにより複数素材ファイルを一括してカラーマネジメント処理するデータベースシステム等を提供することができる。
【発明を実施するための最良の形態】
【００１３】
以下、添付図面を参照しながら、本発明に係るデータベースシステム等の好適な実施形態について詳細に説明する。
【００１４】
最初に、図１を参照しながら、本発明の実施の形態に係るデータベースシステム１の構成について説明する。
図１は、データベースシステム１００の構成を示すブロック図である。
【００１５】
本発明に係るデータベースシステム１００は、ネットワークを介して接続されたサーバ１０１、端末装置１０３等で構成される。尚、データベースシステム１００は、ＷＷＷ(World Wide Web)技術を用いて実現した場合の構成図である。
【００１６】
ネットワーク１０９は、インターネット、ＬＡＮ(Local Area Network)等のネットワークであり、有線、無線を問わない。
【００１７】
サーバ１０１は、サーバコンピュータ等であり、ＷＷＷサーバ１１０、データベース操作手段１１１、データベースサーバ管理手段１１２、データベース管理手段１１３等を有する。
データベース操作手段１１１は、ＷＷＷサーバ１１０から呼び出され、商品情報データベース３０１の検索や、登録内容の参照、閲覧等を行う。
データベースサーバ管理手段１１２は、ユーザ１１４の登録や各種設定等のシステム運用・管理を行う。
データベース管理手段１１３は、データベースエンジン等であり、データベースへの検索、参照、登録、削除等の各種要求に対する処理を実行する。
【００１８】
ユーザ１０４は、商品情報データベース３０１を利用するため、予めサーバ１０１に登録された利用者であり、端末装置１０３を有する。
端末装置１０３には、ＷＷＷブラウザ１２０が実装されている。端末装置１０３は、ＷＷＷブラウザ１２０を介して、サーバ１０１のＷＷＷサーバ１１０にアクセスし、商品情報データベース３０１の操作要求、入力情報等を送信し、商品情報データベース３０１から取得した情報等を受信する。
端末装置１０３は、パーソナルコンピュータ、携帯情報端末ＰＤＡ(Personal Digital Assistant)等である。
【００１９】
サーバ管理者１０５は、データベースシステム１００の運用・管理等を行う管理者であり、端末装置１０３を有する。
【００２０】
図２は、サーバ１０１のハードウエア構成の１例を示す図であって、サーバ１０１はバス２０９により相互接続された制御部２０１、記憶装置２０２、メディア入出力部２０３、通信制御部２０４、入力部２０５、印刷部２０６、表示部２０７を有する。
【００２１】
制御部２０１は、プログラムの実行を行うＣＰＵ(central
processing unit)と、プログラム命令あるいはデータ等を格納するためのＲＯＭ(read only memory)、ＲＡＭ(random access memory)等のメモリから構成される。制御部２０１は、記憶装置２０２に格納されたプログラムに従って、サーバ１０１全体の動作を制御する。
【００２２】
記憶装置２０２は、サーバ１０１の動作に必要となるプログラム、データ等を保存している
【００２３】
メディア入出力部２０３は、ＣＤ−ＲＯＭ(compact
disc read only memory)あるいはＣＤ−ＲＷ(CD-ReWritable)、フレキシブルディスク、ＭＯ(magneto optic disc)等の媒体のドライブで、媒体からのデータの読み出し、媒体へのデータの書き込みを行う。
【００２４】
通信制御部２０４は、通信制御装置、通信ポート等であり、ネットワーク１０９を介したサーバ１０１、端末装置１０３間の通信を制御する。
【００２５】
入力部２０５は、キーボード、マウス等の入力装置である。
印刷部２０６はプリンタで、ユーザからの要求により必要な情報等の印刷を行う。
表示部２０７は、ＣＲＴ(cathode-ray
tube)あるいはＬＣＤ(liquid crystal
display)等の表示装置である。
【００２６】
図３は、サーバ１０１の記憶装置２０２の詳細を示す図であって、記憶装置２０２は、商品情報データベース３０１、制御プログラム３１１、アプリケーションプログラム３１２等を有する。
【００２７】
商品情報データベース３０１は、商品情報、素材ファイル、カタログ毎のトリミング情報等を保持する。尚、サーバ１０１が管理する商品情報データベース３０１は、必要に応じて複数存在してもよい。
【００２８】
制御プログラム３１１は、サーバ１０１が実行する処理全体を制御するプログラムで、ＷＷＷサーバ、データベース操作、データベース管理、データベースサーバ管理等、さまざまなアプリケーションプログラム３１２の管理等を行う。
【００２９】
図４は、端末装置１０３のハードウエア構成の１例を示す図であって、端末装置１０３は、バス４０９により相互接続された制御部４０１、記憶装置４０２、メディア入出力部４０３、通信制御部４０４、入力部４０５、印刷部４０６、表示部４０７を有する。
【００３０】
制御部４０１は、プログラムの実行を行うＣＰＵと、プログラム命令あるいはデータ等を格納するためのＲＯＭ、ＲＡＭ等のメモリから構成される。制御部４０１は、記憶装置４０２に格納されたプログラムに従って、端末装置１０３全体の動作を制御する。
【００３１】
記憶装置４０２は、端末装置１０３の動作に必要となるプログラム、データ等を保存している
【００３２】
メディア入出力部４０３は、ＣＤ−ＲＯＭあるいはＣＤ−ＲＷ、フレキシブルディスク、ＭＯ等の媒体のドライブで、媒体からのデータの読み出し、媒体へのデータの書き込みを行う。
【００３３】
通信制御部４０４は、通信制御装置、通信ポート等であり、ネットワーク１０９を介した端末装置１０３、サーバ１０１間の通信を制御する。
【００３４】
入力部４０５は、キーボード、マウス等の入力装置である。
印刷部４０６はプリンタで、ユーザからの要求により必要な情報等の印刷を行う。
表示部４０７は、ＣＲＴあるいはＬＣＤ等の表示装置である。
【００３５】
次に、図５、６、７、８を参照しながら、データベースシステム１００におけるプロファイル登録の動作を説明する。図５は、プロファイル登録の動作のフローチャート、図６は、管理用メイン画面６００の一例を示す図、図７は、管理用メイン画面６００での新しいプロファイル登録の選択を示す図、図８は、プロファイル作成／変更画面８００の一例を示す図である。
【００３６】
ユーザ１０４は、管理用メイン画面６００で新しいプロファイルを商品情報データベース３０１に登録する。
図６に示すように、管理用メイン画面６００はグループ／ユーザ一覧６０２、データベース一覧６０４、情報一覧６０６等を有する。情報一覧６０６には、グループ／ユーザ一覧６０２あるいはデータベース一覧６０４から選択した項目の内容が表示される。
【００３７】
図７に示すように、ユーザ１０４はサーバ１０１のデータベース一覧６０４の「検証用＿１万件」という項目の項目一覧７０２を表示させ、「ＩＣＣプロファイル」という項目を選択すると、端末装置１０３の制御部４０１は、「ＩＣＣプロファイル」に登録されているプロファイルのプロファイル名、ファイル名、色モードを情報一覧６０６に表示する。スキャナのような各入力装置、印刷機器のような各出力装置には、一つ以上のプロファイルが登録されている。
ユーザ１０４が新しいプロファイルを登録する場合、「ＩＣＣプロファイル」という項目を選択し、右クリックして「新しいプロファイル」というメニューを表示、選択する（ステップ５０１）。
【００３８】
端末装置１０３の制御部４０１は、プロファイル作成／変更画面８００を表示する（ステップ５０２）。
図８に示すように、プロファイル作成／変更画面８００は、プロファイル名８０２、パス８０４、ＣＭＹＫカラーモード８０６、ＲＧＢカラーモード８０８、登録ボタン８１０、キャンセルボタン８１２を有する。
【００３９】
ユーザ１０４は、プロファイル名８０２に任意のプロファイル名を入力し、パス８０４には登録しようとしているプロファイルのパスを設定する。プロファイルは、通常、「．ＩＣＣ」という拡張子を持つ。また、ラジオボタンによりＣＭＹＫカラーモード８０６かＲＧＢカラーモード８０８を選択し、登録ボタン８１０をクリックする（ステップ５０３）。
【００４０】
端末装置１０３の制御部４０１は、ユーザがプロファイル作成／変更画面８００上で入力したプロファイル作成情報をサーバ１０１に送る（ステップ５０４）。サーバ１０１の制御部２０１は、受信したプロファイル作成情報を用いて、新しいプロファイルを登録する（ステップ５０５）。
【００４１】
次に、図９、１０、１１、１２、１３、１４、１５、１６、１７、１８、１９を参照しながら、データベースシステム１００における商品情報データベース３０１への素材ファイルの登録の動作について説明する。図９は、素材ファイルの遂次登録の動作のフローチャート、図１０は、データメンテナンス用メイン画面１０００の一例を示す図、図１１は、構造指定画面１１００の一例を示す図、図１２は、素材情報詳細画面１２００の一例を示す図、図１３は、素材ファイル登録画面１３００の一例を示す図、図１４は、素材ファイルの一括登録の動作のフローチャート、図１５は、素材情報構造指定画面１５００の一例を示す図、図１６は、インポートファイル指定画面１６００の一例を示す図、図１７は、ファイル名設定画面１７００の一例を示す図、図１８は、処理設定画面１８００の一例を示す図、図１９は、インポート内容確認画面１９００の一例を示す図である。
【００４２】
商品情報データベース３０１への素材ファイルの登録は、素材ファイル毎に登録する遂次登録と、複数の素材ファイルを一括して登録する一括登録の二つの方法がある。
図９は、素材ファイルの遂次登録の動作のフローチャートである。
ユーザ１０４は、データメンテナンス用メイン画面１０００の「ファイル」メニューから「新規作成」、「素材情報」を選択する（ステップ９０１）。
【００４３】
図１０に示すように、データメンテナンス用メイン画面１０００は、作業箱一覧１００２、グループ一覧１００４、情報一覧１００６等を有する。
【００４４】
作業箱一覧１００２は、ユーザ１０４が商品情報データベース３０１に保持される複数の商品のレコードを、ある検索条件でグループ化した作業箱の一覧を表示する。
情報一覧１００６は、管理している素材ファイルの一覧を表示するもので、素材ファイルの画像、ファイル名、元ファイル名を含む。
【００４５】
端末装置１０３の制御部４０１は、構造指定画面１１００を表示する（ステップ９０２）。
図１１に示すように、構造指定画面１１００は構造名１１０２、ＯＫボタン１１０４、キャンセルボタン１１０６等を有する。
【００４６】
ユーザ１０４は、構造名１１０２のプルダウンメニューにより構造名を選択し、ＯＫボタン１１０４をクリックすると（ステップ９０３）、端末装置１０３の制御部４０１は、素材情報詳細画面１２００を表示する。
ユーザが、素材ファイル登録のため、素材ファイル登録ボタン１２００をクリックすると、端末装置１０３の制御部４０１は素材ファイル登録画面１３００を表示する（ステップ９０４）。
【００４７】
図１３に示すように、素材ファイル登録画面１３００は、登録ファイル１３０２、ＲＧＢプロファイル１３０４、ＣＭＹＫプロファイル１３０６、ファイル名１３０８、ＯＫボタン１３１０、キャンセルボタン１３１２等を有する。
【００４８】
ユーザ１０４は、登録ファイル１３０２に登録する素材ファイルのファイルパスを指定する。
ＲＧＢプロファイル１３０４及びＣＭＹＫプロファイル１３０６のプルダウンメニューには、サーバ１０１のデータベース内のＩＣＣプロファイルという項目に登録されているＲＧＢプロファイル、ＣＭＹＫプロファイルの一覧が表示される。ユーザ１０４は、登録しようとしている素材ファイルにプロファイルが組み込まれていない場合、ＲＧＢプロファイル１３０４、ＣＭＹＫプロファイル１３０６のプルダウンメニューで表示されるプロファイルの中から、素材ファイルに関連付けるＲＧＢプロファイル、ＣＭＹＫプロファイルを選択する。
【００４９】
ファイル名１３０８では、現在の素材ファイルのファイル名をそのまま使うか、ファイル名を指定するか、あるいは、ファイル名を自動生成するかをラジオボタンで選択する（ステップ９０５）。
【００５０】
端末装置１０３の制御部４０１は、素材ファイル登録画面１３００上でユーザ１０４が入力した素材ファイルの登録情報をサーバ１０１に送る（ステップ９０６）。
サーバ１０１の制御部２０１は、受信した素材ファイルの登録情報に従って、素材ファイルを商品情報データベース３０１に登録する。この登録処理により、プロファイルが組み込まれていなかった素材ファイルに対して、素材ファイル登録画面１３００のＲＧＢプロファイル１３０４、ＣＭＹＫプロファイル１３０６で指定されたプロファイルを関連付ける。
【００５１】
図１４は、素材ファイルを一括登録する動作のフローチャートである。
ユーザ１０４がデータメンテナンス用メイン画面１０００の「ファイル」メニューから「入力」、素材情報インポート」を選択すると（ステップ１４０１）、端末装置１０３の制御部４０１は素材情報インポートウィザードを表示する。
ユーザ１０４は、素材情報インポートウィザードに従って、素材ファイルへのトリミング情報一括登録のためのインポートファイルの指定、素材インポートの設定等を行う（ステップ１４０２）。
【００５２】
端末装置１０３の制御部４０１は、まず素材情報構造指定画面１５００を表示する。図１５に示すように、素材情報構造指定画面１５００は、構造１５０２、キャンセルボタン１５０４、次へボタン１５０６等を有する。
ユーザ１０４は、構造１５０２のプルダウンメニューから素材の構造を選択し、次へボタン１５０６をクリックする。
【００５３】
端末装置１０３の制御部４０１は、インポートファイル指定画面１６００を表示する。図１６に示すように、インポートファイル指定画面１６００は、インポートファイル選択１６０２、素材ファイル選択１６０４、キャンセルボタン１６０６、戻るボタン１６０８、次へボタン１６１０等を有する。
素材ファイルにプロファイルを関連付けて登録する場合、ユーザ１０４はインポートファイル選択１６０２で「素材ファイルのみ」をラジオボタンで選択する。素材ファイル選択１６０４には、複数の素材ファイルを有するフォルダのパスを選択し、次へボタン１６１０をクリックする。
【００５４】
端末装置１０３の制御部４０１は、ファイル名設定画面１７００を表示する。図１７に示すように、ファイル名設定画面１７００は、ファイル名設定１７０２、キャンセルボタン１７０４、戻るボタン１７０６、次へボタン１７０８等を有する。
ユーザ１０４は、現在の素材ファイルのファイル名をそのまま使うか、あるいは、命名規則に従ってファイル名を自動生成するかをラジオボタンで選択し、次へボタン１７０８をクリックする。
【００５５】
端末装置１０３の制御部４０１は、処理設定画面１８００を表示する。図１８に示すように、処理設定画面１８００は、登録／更新設定１８０２、ＲＧＢプロファイル設定１８０４、ＣＭＹＫプロファイル設定１８０６、エラー設定１８０８、キャンセルボタン１８１０、戻るボタン１８１２、次へボタン１８１４を有する。
【００５６】
ユーザ１０４は、登録／更新設定１８０２で新規登録と更新処理を行うか、更新処理のみを行うか、あるいは、新規登録処理のみを行うかを選択する。
ＲＧＢプロファイル設定１８０４及びＣＭＹＫプロファイル設定１８０６のプルダウンメニューには、サーバ１０１のデータベース内のＩＣＣプロファイルという項目に登録されているＲＧＢプロファイル、ＣＭＹＫプロファイルの一覧が表示される。ユーザ１０４は、インポートファイル指定画面１６００の素材ファイル選択１６０４で選択したフォルダ内の素材ファイルにプロファイルが組み込まれていない場合、ＲＧＢプロファイル設定１８０４、ＣＭＹＫプロファイル設定１８０６のプルダウンメニューで表示されるプロファイルの中から、素材ファイルに関連付けるＲＧＢプロファイル、ＣＭＹＫプロファイルを選択し、次へボタン１８１４をクリックする。
【００５７】
端末装置１０３の制御部４０１は、インポート内容確認画面１９００を表示する。図１９に示すように、インポート内容確認画面１９００はインポート設定内容１９０２、キャンセルボタン１９０４、戻るボタン１９０６、完了ボタン１９０８等を有する。
ユーザ１０４は、インポート設定内容１９０２を確認し、完了ボタン１９０８をクリックすると、端末装置１０３の制御部４０１は、ユーザ１０４により入力された素材ファイル登録情報をサーバ１０１に送る（ステップ１４０３）。
【００５８】
サーバ１０１の制御部２０１は、受信した素材ファイルの登録情報に従って、インポートファイル指定画面１６００の素材ファイル選択１６０４で選択したフォルダ内の素材ファイルを商品情報データベース３０１に登録する（ステップ１４０４）。
この登録処理により、プロファイルが組み込まれていなかった素材ファイルに対して、処理設定画面１８００のＲＧＢプロファイル設定１８０４、ＣＭＹＫプロファイル設定１８０６で指定されたプロファイルを関連付ける。
【００５９】
次に、図２０、２１、２２、２３、２４を参照しながら、素材ファイルの変換出力の動作を説明する。図２０は、素材ファイル出力の動作のフローチャート、図２１は、出力対象設定画面２１００の一例を示す図、図２２は、素材変換設定画面２２００の一例を示す図、図２３は、素材変換処理前の画像の一例を示す図、図２４は、素材変換処理後の画像の一例を示す図である。
【００６０】
ユーザ１０４は、データメンテナンス用メイン画面１０００の情報一覧１００６に表示された素材ファイルの中から、変換出力を行う素材ファイル「Ｍａｔ００１５０３．ｅｐｓ」、「Ｍａｔ００１５０４．ｅｐｓ」、「Ｍａｔ００１５０５．ｅｐｓ」を選択して右クリックしてメニューを表示させ、「素材ファイル出力」を選択する（ステップ２００１）。
【００６１】
ユーザ１０４は、端末装置１０３の制御部４０１が表示する素材出力ウィザードに従って、素材変換設定を行う（ステップ２００２）。
まず、端末装置１０３の制御部４０１は、出力対象設定画面２１００を表示する。図２１に示すように、出力対象設定画面２１００は、構造２１０２、種別２１０４、変換出力２１０６、変換設定ボタン２１０８、キャンセルボタン２１１０、次へボタン２１１２等を有する。
【００６２】
ユーザ１０４は、構造２１０２、種別２１０４を選択し、ラジオボタンにより変換出力２１０６を「する」に指定し、変換設定ボタン２１０８をクリックする。
【００６３】
端末装置１０３の制御部４０１は、素材変換設定画面２２００を表示する。素材変換設定画面２２００は、サイズ２２０２、パスの処理２２０４、色モード２２０６、色変換２２０８、出力機器プロファイル２２１０、トリミング２２１２、保存形式設定２２１４、保存ボタン２２１６、クリアボタン２２１８、ＯＫボタン２２２０、キャンセルボタン２２２２等を有する。
ユーザ１０４は、色モード２２０６のプルダウンメニューよりＣＭＹＫ、または、ＲＧＢを選択する。色変換２２０８は、ラジオボタンにより「する」に設定する。また、出力機器プロファイル２２１０のプルダウンメニューにより、選択した素材ファイル「Ｍａｔ００１５０３．ｅｐｓ」、「Ｍａｔ００１５０４．ｅｐｓ」、「Ｍａｔ００１５０５．ｅｐｓ」を出力する出力機器のプロファイルを選択し、ＯＫボタン２２２０をクリックする。
【００６４】
端末装置１０３の制御部４０１は、選択された素材ファイル名「Ｍａｔ００１５０３．ｅｐｓ」、「Ｍａｔ００１５０４．ｅｐｓ」、「Ｍａｔ００１５０５．ｅｐｓ」と、ユーザ１０４が選択した素材変換設定をサーバ１０１に送る（ステップ２００３）。
【００６５】
サーバ１０１の制御部２０１は、選択された素材ファイル「Ｍａｔ００１５０３．ｅｐｓ」、「Ｍａｔ００１５０４．ｅｐｓ」、「Ｍａｔ００１５０５．ｅｐｓ」を受信した素材変換設定に従って色情報を変換し出力する（ステップ２００４）。
例えば、図２３に示す素材ファイル「Ｍａｔ００１５０４．ｅｐｓ」は、色情報の変換出力により図２４のようになる。
色情報を変換して出力した素材ファイルは、そのままカタログ制作でのＤＴＰに利用することができる。
【００６６】
以上、説明したように本実施によれば、素材ファイルへのプロファイルの組み込み、関連付けにより複数素材ファイルを一括してカラーマネジメント処理するデータベースシステム等を提供できる。
【００６７】
商品情報データベースにおいて、複数の素材ファイルに対して一括してプロファイルデータを用いることにより、効率的にカラーマネジメントを行える。また、使用する出力機器用のプロファイルを素材ファイルに組み込むことにより、他の出力機器に出力する場合、色情報を適切に変換することが可能となる。
【００６８】
さらに、プロファイルが組み込まれていない素材ファイルを商品情報データベースに登録する際、データベースに登録されているプロファイルを関連付けることにより、プロファイルが組み込まれていない素材ファイルのカラーマネジメントも可能となる。
【００６９】
以上、添付図面を参照しながら本発明に係るデータベースシステムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００７０】
【図１】データベースシステム１００の構成を示すブロック図
【図２】サーバ１０１のハードウエア構成の１例を示す図
【図３】サーバ１０１の記憶装置２０２の詳細を示す図
【図４】端末装置１０３のハードウエア構成の１例を示す図
【図５】プロファイル登録の動作のフローチャート
【図６】管理用メイン画面６００の一例を示す図
【図７】管理用メイン画面６００での新しいプロファイル登録の選択を示す図
【図８】プロファイル作成／変更画面８００の一例を示す図
【図９】素材ファイルの遂次登録の動作のフローチャート
【図１０】データメンテナンス用メイン画面１０００の一例を示す図
【図１１】構造指定画面１１００の一例を示す図
【図１２】素材情報詳細画面１２００の一例を示す図
【図１３】素材ファイル登録画面１３００の一例を示す図
【図１４】素材ファイルの一括登録の動作のフローチャート
【図１５】素材情報構造指定画面１５００の一例を示す図
【図１６】インポートファイル指定画面１６００の一例を示す図
【図１７】ファイル名設定画面１７００の一例を示す図
【図１８】処理設定画面１８００の一例を示す図
【図１９】インポート内容確認画面１９００の一例を示す図
【図２０】素材ファイル出力の動作のフローチャート
【図２１】出力対象設定画面２１００の一例を示す図
【図２２】素材変換設定画面２２００の一例を示す図
【図２３】素材変換処理前の画像の一例を示す図
【図２４】素材変換処理後の画像の一例を示す図
【符号の説明】
【００７１】
１００………データベースシステム
１０１………サーバ
１０３………端末装置
１０４………ユーザ
１０５………サーバ管理者
１０９………ネットワーク
１１０………ＷＷＷサーバ
１１１………データベース操作手段
１１２………データベースサーバ管理手段
１１３………データベース管理手段
１２０………ＷＷＷブラウザ
２０１、４０１………制御部
２０２、４０２………記憶装置
３０１………商品情報データベース
【図１】
2006270341.tif 000003
【図２】
2006270341.tif 000004
【図３】
2006270341.tif 000005
【図４】
2006270341.tif 000006
【図５】
2006270341.tif 000007
【図６】
2006270341.tif 000008
【図７】
2006270341.tif 000009
【図８】
2006270341.tif 000010
【図９】
2006270341.tif 000011
【図１０】
2006270341.tif 000012
【図１１】
2006270341.tif 000013
【図１２】
2006270341.tif 000014
【図１３】
2006270341.tif 000015
【図１４】
2006270341.tif 000016
【図１５】
2006270341.tif 000017
【図１６】
2006270341.tif 000018
【図１７】
2006270341.tif 000019
【図１８】
2006270341.tif 000020
【図１９】
2006270341.tif 000021
【図２０】
2006270341.tif 000022
【図２１】
2006270341.tif 000023
【図２２】
2006270341.tif 000024
【図２３】
2006270341.tif 000025
【図２４】
2006270341.tif 000026